【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
コンピュータと接続され、このコンピュータを移動通信システムの基地局と接続する通信カードにおいて、
前記基地局からの呼び出しを待機する第１の待受け状態と、前記基地局からの同報通信用のダウンリンクによってコンテンツを受信している第２の待受け状態と、前記基地局との間で専用に割り当てた通信用チャネルを起動して通信する接続状態とを、それぞれ異なる状態として表示する表示部を備えることを特徴とする通信カード。
【請求項２】
請求項１に記載の通信カードであって、
前記表示部は、前記通信カードが圏外にあることを更に異なる状態として表示することを特徴とする通信カード。
【請求項３】
移動通信システムの基地局との接続用の通信カードを接続されたコンピュータを、
前記通信カードを介して、前記基地局から時刻を取得する通信カード制御部、および
前記コンピュータの内部時計を前記時刻に補正する内部時計補正部、
として機能させるためのプログラム。
【請求項４】
移動通信システムの基地局との接続用の通信カードを接続されたコンピュータを、
前記通信カードを介して、前記基地局から時刻を取得する通信カード制御部、および
前記コンピュータの内部時計を前記時刻に補正する内部時計補正部、
として機能させるためのプログラムを記録したコンピュータ読み取り可能な記録媒体。
【請求項５】
移動通信システムの基地局との接続用の通信カードを接続されたコンピュータを、
暗号化された管理情報を前記通信カードから受信する通信カード制御部、
前記通信カード制御部が受信した前記暗号化された管理情報をデコードする管理情報デコード部、および
前記管理情報デコード部がデコードした管理情報に含まれるキーを用いて、暗号化されたコンテンツをデコードするコンテンツデコード部、
として機能させるためのプログラム。
【請求項６】
移動通信システムの基地局との接続用の通信カードを接続されたコンピュータを、
暗号化された管理情報を前記通信カードから受信する通信カード制御部、
前記通信カード制御部が受信した前記暗号化された管理情報をデコードする管理情報デコード部、および
前記管理情報デコード部がデコードしたユーザ管理情報に含まれるキーを用いて、暗号化されたコンテンツをデコードするコンテンツデコード部、
として機能させるためのプログラムを記録したコンピュータ読み取り可能な記録媒体。
【手続補正２】
【補正対象書類名】明細書
【補正対象項目名】０００４
【補正方法】変更
【補正の内容】
【０００４】
特許文献１は広告コンテンツを配信するための好適な仕組みとして、基地局と端末とを接続するチャネル構成に、所定の制御処理を行なうための情報を伝送するための制御用チャネルと、任意の端末装置間で通信を行なうための通信用チャネルに加えて、多数の端末にブロードキャスト配信するための配信用チャネルによって接続する構成を提案している。この場合、端末は待受け（ＳＴＡＮＤ−ＢＹ）状態に移行する過程において広告を受信する。ユーザが端末のスイッチをＯＮ状態とすることを契機に、端末がＯＦＦ状態からＳＴＡＮＤ−ＢＹ状態へと遷移する。この状態移行の概略は以下の通りである。端末は、前記制御用チャネルで基地局から周期的に送信される報知制御情報を受信し、自端末が、その移動通信システムに対して接続可能であるか否かを判断する。端末は、接続可能であると判断した場合はシステムに対する位置登録を行い、システムからの基地局を経由した呼び出し（ページング）を可能として待機する。報知制御情報には共通の配信チャネルに関する情報が含まれており、この情報をもとに広告コンテンツを受信し、端末に備えた記憶部に格納する。記憶部に格納された広告コンテンツは、端末が別の機会に前記通信用チャネルを用いたダウンロードを実行する際、例えばインターネットアクセスを行なう際にそのダウンロードの待ち時間に再生および表示が行なわれる。
【手続補正３】
【補正対象書類名】明細書
【補正対象項目名】００２３
【補正方法】変更
【補正の内容】
【００２３】
通信カード４００は、送受信アンテナ４０と、無線信号を受信処理する受信部４１と、通信カードの呼制御やデータフローおよび通信カード各部の動作を制御する制御部４２と、制御部４２が出力するデータを変調し無線信号に変換して、さらに電力増幅して送受信アンテナ４０へ出力する送信部４８と、ＵＳＢ、ＰＣＭＣＩＡ等の外部インタフェース用の通信プロトコルを処理して、制御部４２とノートＰＣ５００との間でコマンドおよびトラフィックデータを仲介する後位インタフェース部４３と、ノートＰＣ５００と接続する外部コネクタ４４と、外部コネクタ４４経由でノートＰＣ５００から供給される電力を定格化し、通信カード各部に電力を供給する電源部４５と、制御部４２に通信カード固有の識別情報を出力するＵＩＭ（User Identification Module）４６と、コンテンツを保存するデータフォルダ４７と、２つの発光素子ＬＥＤ１とＬＥＤ２を制御部４２の制御に従い駆動してユーザに対して通信カードの状態を表示する表示部４９とから構成される。ここで、ＵＩＭ４６は、携帯電話会社が発行する契約者情報を記録したＩＣであり、通信カードの利用者の識別用である。
【手続補正４】
【補正対象書類名】明細書
【補正対象項目名】００３９
【補正方法】変更
【補正の内容】
【００３９】
コンテンツ管理情報は、管理情報デコード部５０８で固有情報保持部５０９より出力するキー情報により平文化されコンテンツデコード部５０５に入力される。コンテンツデコード部５０５はファイルアクセス部５０４より出力されるコンテンツの、平文化および動画符号化データと音声データの再生を行い出力制御部５０６に出力する。出力制御部５０６は、動画符号化データをノートＰＣ５００の動画復号化部（図示せず）に送り、動画を液晶パネルに表示させる。また、出力制御部５０６は、音声データをノートＰＣ５００のスピーカ（図示せず）に送り、音声再生させる。
【手続補正５】
【補正対象書類名】明細書
【補正対象項目名】００４０
【補正方法】変更
【補正の内容】
【００４０】
図５を参照して、ノートＰＣのハードウェア構成を説明する。図５において、ノートＰＣ５００は、演算装置（ＣＰＵ）５１０と、主記憶装置（メモリ）５２０と、キーボード、ポインティングデバイス等の入力装置と液晶パネル、スピーカ等の出力装置とを含む入出力装置５３０と、ハードディスク装置、フラッシュメモリ等の補助記憶装置５４０と、ＣＤ-ＲＯＭドライブ、カードスロット等の周辺機器を接続する外部インタフェース５５０とを、バス５６０で接続した構成である。ＣＤ-ＲＯＭに記録された予約受信アプリケーションプログラム５０は、入出力装置５３０から読み込まれ、補助記憶装置５４０にコピーされる。補助記憶装置５４０にコピーされた予約受信アプリケーションプログラム５０は、主記憶装置５２０上で、演算装置５１０により、実行される。
【手続補正６】
【補正対象書類名】明細書
【補正対象項目名】００４６
【補正方法】変更
【補正の内容】
【００４６】
最後に、コンテンツ再生時の動作シーケンスについて図８を参照して説明する。図８において、ノートＰＣ５００の電源がＯＮされた状態で、通信カード４００をカードスロットに装填すると、外部コネクタ４４を経由して電源部４５に電源が供給され、通信カード４００が起動する。通信カード４００は、基地局装置３００が定期的に送信する（Ｔ８０１）、パイロットチャネルを捕捉し、同期チャネルによりをシステム同期および報知情報を取得する（Ｔ８０２）。通信カード４００は、基地局装置３００に、位置登録を行なう（Ｔ８０３）。位置登録を受信した基地局装置３００は、位置登録応答を通信カード４００に返信する（Ｔ８０４。位置登録応答を受信した通信カード４００は、通信カードの状態として待受け状態１を表示する（Ｔ８０５）
この段階でユーザが手動により予約受信アプリケーションを起動（Ｔ８１１）したとしよう。起動された予約受信アプリケーションプログラム５０は、先ず、通信カード４００に対して時刻情報問合せを送信する（Ｔ８１２）。通信カード４００は、無線リンクの品質情報を状態監視部４２３に確認し、また通信制御部４２１経由でシステム時刻情報を検出して、有効な時刻情報を含む時刻情報応答を返信する（Ｔ８１３）。予約受信アプリケーションプログラム５０は、この情報を受けて内部時計時刻の補正を行なう（Ｔ８１４）。予約受信アプリケーションプログラム５０は、さらに現在のデータフォルダのコンテンツリストおよび操作メニューを表示する（Ｔ８１５）。
【手続補正７】
【補正対象書類名】明細書
【補正対象項目名】００４７
【補正方法】変更
【補正の内容】
【００４７】
ここで、ユーザがメニューガイドにしたがいコンテンツを選択して再生を要求したとしよう。これを予約受信アプリケーションプログラム５０が受付けると（Ｔ８２１）、通信カード４００に対して該当コンテンツの管理情報の問合せを送信する（Ｔ８２２）。通信カード４００の制御部４２は、ＵＩＭ４６から管理情報を読出し、暗号化部４２６によって暗号化して、ノートＰＣ５０に管理情報応答を返信する（Ｔ８２３）。アプリケーションプログラム５０は、受信した管理情報を固有情報保持部５０９から出力するキーをもとに平文にデコードし（Ｔ８２４）、管理情報に含まれる視聴期限を検査してコンテンツ再生の許可、不許可を判定し（Ｔ８２５）、期限内であれば、管理情報に含まれるキーを用いてコンテンツの暗号を平文化し、圧縮された符号化データをデコードする（Ｔ８２６）。